(57)【要約】【課題】電気掃除機のアタッチメント収納部において、収納部が狭く、収納状態のアタッチメントが取り出し難いこと。【解決手段】掃除機本体の天面に設けられ、アタッチメント３を収納する収納部５５と、収納部５５を覆うと共に開閉自在に設けられた収納蓋５６と、収納蓋５６の裏面に設けられたアタッチメント引掛け部１とを備え、収納部５５内にアタッチメント３を載置し収納蓋５６を閉めた際に、アタッチメント引掛け部１がアタッチメント３と嵌合してこれを保持すると共に、収納蓋５６を開けた際にはアタッチメント３が収納蓋５６に保持されて収納部５５より離脱する構成とした。これにより、アタッチメント３を収納部５５から取り出し易くなり、使用性が向上する。【選択図】図２
2006026200.tif 000002
【特許請求の範囲】
【請求項１】
掃除機本体の天面に設けられ、アタッチメントを収納する収納部と、前記収納部を覆うと共に開閉自在に設けられた収納蓋と、前記収納蓋の裏面に設けられたアタッチメント引掛け部とを備え、前記収納部にアタッチメントを載置し前記収納蓋を閉めた際に、前記アタッチメント引掛け部が前記アタッチメントと嵌合して前記アタッチメントを保持すると共に、前記収納蓋を開けた際には前記アタッチメントが前記収納蓋に保持されて前記収納部より離脱する電気掃除機。
【請求項２】
アタッチメント引掛け部は弾性を有する請求項１記載の電気掃除機。
【請求項３】
収納蓋のアタッチメント引掛け部と嵌合するアタッチメントの部分に、被引掛け部を設け、前記被引掛け部は弾性を有する請求項１記載の電気掃除機。
【請求項４】
互いに嵌合する回動軸と回動軸穴のいずれか一方を収納部に、他方を収納蓋に設け、前記収納蓋の回動軸または回動軸穴より遠い位置にアタッチメント引掛け部を設けた請求項１記載の電気掃除機。
【請求項５】
アタッチメント引掛け部を回動軸または回動軸穴より遠い位置だけでなく、近い位置にも設けた請求項４記載の電気掃除機。
【請求項６】
アタッチメント引掛け部の一方を摺動自在に設けた請求項５記載の電気掃除機。
【請求項７】
回動軸または回動軸穴に近い方のアタッチメント引掛け部を摺動自在に設けた請求項６記載の電気掃除機。
【請求項８】
掃除機本体の天面に設けられたアタッチメント収納用の収納部と、前記収納部を覆うと共に開閉自在に設けられた収納蓋と、前記収納部内に収納されるアタッチメントと、前記収納部に設けられ略コの字状でバネにより付勢されたレバーとを備え、前記レバーを前記収納蓋の開閉動作と連動するように構成した電気掃除機。
【発明の詳細な説明】
【技術分野】
【０００１】
本発明は、電気掃除機のアタッチメント収納方法に関するものである。
【背景技術】
【０００２】
従来の電気掃除機におけるアタッチメント収納部は、一般的に掃除機本体上面に設けられ、収納部の上にはそれを覆うための蓋が設けられている。使用者は通常アタッチメントを使用しない場合、収納部に収納して蓋を閉め、使用時には蓋を開けて収納部に入っているアタッチメントを取り出す（例えば、特許文献１参照）。
【０００３】
また、アタッチメントを収納する他の方法として、掃除機本体後部に収納部を設け、収納部にアタッチメントを嵌合させて保持するものも見られる（例えば、特許文献２参照）。
【０００４】
図１１は前記特許文献１に開示された従来の電気掃除機のアタッチメント収納部１０１を示すもので、収納蓋１０２を開けた際、アタッチメント１０３は収納部１０１に収まったままとなっている。
【０００５】
また図１２は前記特許文献２に開示された別の従来のアタッチメント収納部２０１を示すものであり、掃除機本体２００の後部の収納部２０１にアタッチメント２０２が嵌合により保持されており、アタッチメント収納部２０１は開放状態となっている。
【特許文献１】特開平３−１３３４１３号公報
【特許文献２】特開平６−２１７９０６号公報
【発明の開示】
【発明が解決しようとする課題】
【０００６】
しかしながら、上記従来の構成では、収納蓋を開けてもアタッチメントは収納部に収まったままであり、狭い隙間に手を入れてアタッチメントを取り出さなければならず、出し入れがし難いという問題を有していた。また収納蓋が無い場合には壁面に衝突した際などに掃除機本体に衝撃が加わった場合や、嵌合が不十分となったまま掃除機を使用した場合に、掃除機に設けた収納部からアタッチメントが脱落してしまうという問題を有していた。
【課題を解決するための手段】
【０００７】
本発明の電気掃除機は前記従来の課題を解決するもので、掃除機本体の天面に設けられたアタッチメント収納用の収納部と、前記収納部を覆うと共に開閉自在に設けられた収納蓋と、前記収納部内に収納されるアタッチメントと、前記収納蓋の裏面に設けられたアタッチメント引掛け部とを備え、前記収納部内に前記アタッチメントを載置し前記収納蓋を閉めた際に、前記アタッチメント引掛け部が前記アタッチメントと嵌合して前記アタッチメントを保持すると共に、前記収納蓋を開けた際は前記アタッチメントが前記収納蓋に保持されて前記収納部より離脱する構成としたものである。
【０００８】
これにより、アタッチメント収納蓋の閉動作でアタッチメントを収納部内に確実に保持でき、掃除機本体の移動時に収納部内でアタッチメントが揺れ動き、収納部内やアタッチメントに傷が付く、あるいは、収納部とアタッチメントとの衝突音がするということがなくなる。また、アタッチメント収納蓋の開動作で収納蓋と共にアタッチメントを取りだすことが可能になり、取り出し性も向上できるものである。
【発明の効果】
【０００９】
本発明の電気掃除機は、アタッチメント収納時の傷つきや衝突音をなくすことができ、また、収納蓋開動作と連動してアタッチメントを収納部から離脱できることで、使用性も向上できる。
【発明を実施するための最良の形態】
【００１０】
第１の発明は、掃除機本体の天面に設けられたアタッチメント収納用の収納部と、前記収納部を覆うと共に開閉自在に設けられた収納蓋と、前記収納部内に収納されるアタッチメントと、前記収納蓋の裏面に設けられたアタッチメント引掛け部とを備え、前記収納部内に前記アタッチメントを載置し前記収納蓋を閉めた際に、前記アタッチメント引掛け部が前記アタッチメントと嵌合して前記アタッチメントを保持すると共に、前記収納蓋を開けた際は前記アタッチメントが前記収納蓋に保持されて前記収納部より離脱する電気掃除機としたもので、収納蓋を閉動作時には収納部内のアタッチメントが収納蓋のアタッチメント引掛け部で保持されるため、あらかじめ収納蓋側にアタッチメントを引掛けずとも、次回の収納蓋の開動作と同時にアタッチメントが収納部より離脱でき、アタッチメントを取り出しやすくなる。また、アタッチメント収納蓋の閉動作でアタッチメントを収納部内に確実に保持でき、掃除機本体の移動時に収納部内でアタッチメントが揺れ動き、収納部内やアタッチメントに傷が付く、あるいは、収納部とアタッチメントとの衝突音がするということもなくなる。
【００１１】
第２の発明は、第１の発明のアタッチメント引掛け部に弾性を持たせたことで、収納蓋へ部品を追加することなく形状を工夫するのみでアタッチメントを自動的に引掛ける構成にすることができる。
【００１２】
第３の発明は、第１の発明のアタッチメント引掛け部と嵌合するアタッチメントの部分に、被引掛け部を設け、前記被引掛け部に弾性を持たせたもので、繰り返し開閉動作において、引掛け部にアタッチメントが引っ掛かる際に引掛け部にかかる負担を軽減し、部品の寿命を長くすることができる。
【００１３】
第４の発明は、第１の発明に加えて、互いに嵌合する回動軸と回動軸穴のいずれか一方を収納部に、他方を収納蓋に設け、前記収納蓋の回動軸または回動軸穴より遠い位置にアタッチメント引掛け部を設ける構成としたものであり、アタッチメントを少ない力で収納部より離脱することができる。
【００１４】
第５の発明は、第４の発明のアタッチメント引掛け部を、回動軸または回動軸穴に近い位置にも設けたもので、二箇所に保持部を設けたことによりアタッチメントの保持がより確実となり収納蓋開時にアタッチメントが収納蓋より脱落することが無く、かつ少ない力で持ち上げることができる。
【００１５】
第６の発明は、第５の発明のアタッチメント引掛け部の一方を摺動自在に設けたもので、アタッチメントを取り出す際に保持部が摺動するためアタッチメント引掛け部からアタッチメントを開放しやすく、収納蓋からの取り出し性が向上するものである。
【００１６】
第７の発明は、第６の発明の摺動自在に設けたアタッチメント引掛け部を、回動軸または回動軸穴側に近い位置の方にしたもので、アタッチメントを取り外す際にアタッチメントで保持部を回動軸または回動軸穴側へ押し込むだけで保持部から開放することができ、取り出し性が向上するものである。
【００１７】
第８の発明は、掃除機本体の天面に設けられたアタッチメント収納用の収納部と、前記収納部を覆うと共に開閉自在に設けられた収納蓋と、前記収納部内に収納されるアタッチメントと、前記収納部に設けられ略コの字状でバネにより付勢されたレバーとを備え、前記レバーを前記収納蓋の開閉動作と連動するように構成したもので、収納蓋を開けると同時にレバーがアタッチメントを押し上げてアタッチメントが収納部より離脱するため、アタッチメントの取り出し性を向上でき、収納蓋に余分な突起をつける必要がない。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における電気掃除機の斜視図であり、電気掃除機５０の全体を示すもので、電気掃除機本体５１は、掃除機前方には吸引した塵埃を集塵する集塵室５２を、後方には吸引風を発する電動送風機５３を配置しており、集塵室５２上には集塵室５２を密閉する本体ウエ５４を備えている。この本体ウエ５４上には掃除用の隙間用ノズル等のアタッチメントを収納するための収納部５５を備えており、回動軸穴５を有する収納蓋５６を本体ウエの回動軸４に回動自在に取り付けている。また、掃除機本体５１に設けた接続口５７に、延長管５８を接続した手元ハンドル５９を有するホース６０を接続し、吸込み具６１を延長管５８と接続することにより、掃除機本体５１の接続口５７まで連通するように構成している。
【００２０】
図２は本体ウエ５４と収納蓋５６と本体ウエ５４内に収納されたアタッチメント３の断面図であり、図３は収納蓋５６を開いた状態を示す断面図である。また図４は図１のアタッチメント引掛け部の詳細図である。ここで図２に示すようにアタッチメント３を収納部５５に収納時にはアタッチメント３の吸引口７などを挟んだ状態となっており、図４に示すようにアタッチメント３をアタッチメント引掛け部１の係止部６で保持できる程度の最低限度の長さと弾性を有するものとする。
【００２１】
図５〜図７は本体ウエ５４と収納蓋５６と本体ウエ５４内に収納されたアタッチメント３の他の例を示す断面図である。
【００２２】
以上のように構成された電気掃除機について、以下、その動作、作用を説明する。図２、図３に示すように、通常アタッチメント３を使用しない場合には電気掃除機５０の収納部５５へ収納し、アタッチメント３の紛失や埃、汚れの付着を防ぐ為、収納蓋５６を閉じ収納しておく。図３に示すようにアタッチメント３を使用する際には収納蓋５６を開き、アタッチメント３を取り出す。特にアタッチメント３収納状態では図２、３に示すようにアタッチメント吸引口７はアタッチメント引掛け部の係止部６に挟まれて保持されている。
【００２３】
次に図４に示すようにアタッチメント３を収納するには、アタッチメント３を収納部５５上へ置き、収納蓋５６を閉じるが、このとき、係止部６が収納蓋５６の閉動作時に最初は収納部５５上のアタッチメント３と当接し、さらに収納蓋５６へ力を加えることで係止部６がそれ自身の弾性によってたわみ、アタッチメント３の吸引口７壁面を乗り越えてアタッチメント引掛け部１がアタッチメントを自動的に挟んで保持し、収納蓋５６は閉じる。さらにアタッチメント３を使用する際は、収納蓋５６を開けることで収納蓋５６の開動作と連動してアタッチメント３が収納部５５より離脱し、持ち上がる。
【００２４】
また、収納蓋５６に回動軸穴５、本体ウエ５４へ回動軸４を設け、収納蓋５６を回動自在に設けた場合、図５に示すようにアタッチメント引掛け部１は回動軸４より遠い位置に設けても、図６に示すように回動軸４の近い位置と遠い位置両方へ設けても良く、そうすることでアタッチメント３を収納部からより少ない力で離脱することができる。
【００２５】
また、図７に示すように回動軸４と近い位置、遠い位置両方へアタッチメント引掛け部１を設けた場合、どちらか一方のアタッチメント引掛け部１を摺動するようにしておけば、収納蓋５６よりの取り出し性が向上し、さらに回動軸４に近い位置側のアタッチメント引掛け部１を摺動するようにした場合は、アタッチメント３を回動軸４側すなわち奥へ押し込むことでアタッチメント引掛け部１が摺動してアタッチメント３はアタッチメント引掛け部１より開放できる。
【００２６】
以上のように、本実施の形態において、アタッチメント３は収納蓋５６のアタッチメント引掛け部１によって保持されている為、収納蓋５６を開けると共に収納部から離脱する為、使用者は収納部５５の狭い隙間に指を入れてアタッチメント３を収納部５５より取り外す必要が無い。また、収納蓋５６が開いて起き上がり、その裏面に保持されたアタッチメント３も起き上がっている為、アタッチメント３を取り出し易く、かつ収納蓋５６の閉動作のみで自動的にアタッチメント３が収納蓋５６の引掛け部１に引っかかることで、次回アタッチメント３を使用する際にも同様に開動作のみでアタッチメント３を収納部５５より脱離させることができる。それに加えて、回動軸４から遠い位置にアタッチメント引掛け部１を設けることで、より少ない力で収納蓋５６の動作と連動してアタッチメント３を収納部５５より持ち上げることができる。さらに回動部より近い位置、遠い位置両方へアタッチメント引掛け部１を設けてどちらか一方を摺動可能に設けることでアタッチメント３を収納蓋５６から取り外しやすくなり、より一層使用性が向上する。
【００２７】
（実施の形態２）
図８は第２の実施の形態を示す、本体ウエ５４と収納蓋５６と本体ウエ５４内に収納されたアタッチメントの断面図である。尚、実施の形態１と同一部分には同一符号を付与して、その詳細な説明を省略する。
【００２８】
図８に示すようにアタッチメント引掛け部１は、例えば先端を球状に形成し、アタッチメント３収納時には、アタッチメント引掛け部１と嵌合する箇所であるアタッチメント３の被引掛け部２を、例えばアタッチメント引掛け部１の先端の球径よりやや小さい円形の穴とし（平面図は図示せず）弾性をもたせることでアタッチメント３の被引掛け部２に嵌合させる。
【００２９】
以上のように構成された電気掃除機について、以下、その動作、作用を説明する。通常アタッチメント３収納状態では図８に示すようにアタッチメント被引掛け部２はアタッチメント引掛け部１が貫通した状態で保持されている。その他の収納状態及び使用時に収納蓋５６を開く際の動作は実施の形態１に示したものと同様である。
【００３０】
次にアタッチメント３を収納する際には、アタッチメント３を収納部５５上へ置き、収納蓋５６を閉じることで収納できるが、このとき、アタッチメント引掛け部１の先端が収納蓋５６の閉動作時に最初は収納部５５上のアタッチメント３、特に引掛け部１の先の球径よりやや小さい円形の穴のように形成されたその被引掛け部２と当接し、さらに収納蓋５６を下方に押さえ、力を加えることで被引掛け部２がその弾性によってたわみ、穴が広がり、アタッチメント引掛け部１がアタッチメント３の被引掛け部２に貫通して、収納蓋５６は閉じる。
【００３１】
以上のように、本実施の形態において、収納蓋５６を閉める際に収納蓋５６のアタッチメント引掛け部１の係止部６がアタッチメント３に当接してたわむことで収納蓋５６を閉めると同時に自動的にアタッチメント３を保持でき、さらに繰り返し開閉動作において、引掛け部１にアタッチメント３が掛かる際に引掛け部１にかかる負担を軽減し、部品の寿命を長くすることができる。
【００３２】
（実施の形態３）
図９は第３の実施の形態を示す、本体ウエ５４と収納蓋５６と本体ウエ５４内に収納されたアタッチメントの断面図であり、図１０は本体ウエからのアタッチメント離脱機構の詳細図である。尚、実施の形態１、２と同一部分には同一符号を付与して、その詳細な説明を省略する。
【００３３】
図９に示すように、レバー８は本体ウエ５４に組み込まれており、レバー８の下部にはレバー８を押し上げる為のバネ１０を有している。レバー８はレバー回動軸９を有しており、レバー８を収納部５５付近に取り付け、レバー８はバネ１０の伸縮力によって回動する。収納蓋５６開時にはレバー８はバネ１０の付勢力で回動してアタッチメント３を押し上げる。また、図１０に示すように、収納蓋５６を閉める際には最初にアタッチメント３の壁面へ収納蓋５６の突起部１３がアタッチメント３を押し、それによってアタッチメント３がレバー８を押し、レバー８が下がる。次にレバー収納蓋係止用の爪１１によってレバー８が押されてアタッチメント収納状態で干渉しない位置まで後方へずれ、収納蓋５６の爪１１が本体ウエ５４の爪係止部１２へ係止され、収納蓋が閉状態となる。
【００３４】
以上のように、本実施の形態において、収納蓋５６を閉める際にアタッチメント３は自動的に収納状態となり、また収納蓋５６を開けた際にはレバーによって自動的に収納部５５から離脱し、収納蓋５６を開閉するだけでアタッチメント３が取り出し易い位置に浮き上がる為、使用者は収納蓋５６の開閉動作のみで収納蓋５６からもアタッチメント３を取り外す必要がなく、容易にアタッチメント３を取り出したり収納したりすることができる。
【産業上の利用可能性】
【００３５】
以上のように、本発明にかかる電気掃除機は、収納蓋にアタッチメント引掛け部を設けて収納蓋開動作とアタッチメントの収納部からの離脱を連動させることにより、使用者は収納蓋を開けるだけでアタッチメントを容易に取り出すことができる。
【図面の簡単な説明】
【００３６】
【図１】第１の実施の形態における電気掃除機の斜視図
【図２】第１の実施の形態における本体ウエと収納蓋と本体ウエ内に収納されたアタッチメントを示す断面図
【図３】第１の実施の形態における収納蓋を開いた状態を示す断面図
【図４】第１の実施の形態におけるアタッチメント引掛け部まわりを示す詳細図
【図５】第１の実施の形態における本体ウエと収納蓋と本体ウエ内に収納されたアタッチメントの他の例を示す断面図
【図６】第１の実施の形態における本体ウエと収納蓋と本体ウエ内に収納されたアタッチメントの他の例を示す断面図
【図７】第１の実施の形態における収納蓋を開いた状態の他の例を示す断面図
【図８】第２の実施の形態における本体ウエと収納蓋と本体ウエ内に収納されたアタッチメントを示す断面図
【図９】第３の実施の形態における本体ウエと収納蓋と本体ウエ内に収納されたアタッチメントを示すの断面図
【図１０】第３の実施の形態におけるアタッチメントの離脱機構を示す詳細図
【図１１】アタッチメント収納部の従来例を示す電気掃除機の斜視図
【図１２】アタッチメント収納部の従来の他の例を示す電気掃除機の要部斜視図
【符号の説明】
【００３７】
１  アタッチメント引掛け部
２  被引掛け部
３  アタッチメント
４  回動軸
５  回動軸穴
６  係止部
７  吸引口
８  レバー
９  レバー回動軸
１０  バネ
１１  爪
１２  爪係止部
１３  突起部
５０  電気掃除機
５１  掃除機本体
５２  集塵室
５３  電動送風機
５４  本体ウエ
５５  収納部
５６  収納蓋
５７  接続口
５８  延長管
５９  手元ハンドル
６０  ホース
６１  吸込み具
【図１】
2006026200.tif 000003
【図２】
2006026200.tif 000004
【図３】
2006026200.tif 000005
【図４】
2006026200.tif 000006
【図５】
2006026200.tif 000007
【図６】
2006026200.tif 000008
【図７】
2006026200.tif 000009
【図８】
2006026200.tif 000010
【図９】
2006026200.tif 000011
【図１０】
2006026200.tif 000012
【図１１】
2006026200.tif 000013
【図１２】
2006026200.tif 000014